(57)【要約】【課題】  部品点数が少なく、組み立てが容易でありながら、内部が確実に密閉される振動篩を提供する。【解決手段】  本発明に係る振動篩１００は、振動手段１０と、振動手段１０に結合された基板２０と、基板２０の上に配置された筒状の容器３０と、容器３０の内部空間を上下に区画する篩網５０と、基板２０と容器３０の上端との上下方向の距離を規制する規制部材７０とを備え、容器３０は、上下に積み重ねられた、複数の短筒状の枠体３１，３２と、容器３０を上下方向に伸長させる伸長手段４０とを有し、篩網５０は、下側の枠体３１に水平に設けられた第一支持面と、上側の枠体３２に水平に設けられた第二支持面との間に挟まれて支持されており、伸長手段４０が作動した場合、枠体３１，３２の結合部には圧縮荷重が作用し、確実に締結され、内部が確実に密閉される。【選択図】  図１
2014104424.tif 000002
【特許請求の範囲】
【請求項１】
振動により容器の内部の粉体を篩い分ける振動篩であって、
振動手段と、
前記振動手段に結合された基板と、
前記基板の上に配置された筒状の容器と、
前記容器の内部空間を上下に区画する篩網と、
前記基板と前記容器の上端との上下方向の距離を規制する規制部材とを備え、
前記容器は、上下に積み重ねられた、複数の短筒状の枠体と、当該容器を上下方向に伸長させる伸長手段とを有し、
前記篩網は、複数の前記枠体のうち下側の枠体に設けられた第一支持面と、上側の枠体に設けられた第二支持面との間に挟まれて支持されている
ことを特徴とする振動篩。
【請求項２】
前記伸長手段が、流体圧により膨張および収縮可能な弾性体からなる、前記枠体と同軸に積み重ねられた環状の袋体である
ことを特徴とする請求項１に記載の振動篩。
【請求項３】
前記基板の上面に設けられた、上方に開口する環状の袋体収容部に、前記袋体が収容され、
前記袋体の上に配置される前記枠体の下部が、前記袋体収容部内で前記袋体に当接している
ことを特徴とする請求項２に記載の振動篩。
【請求項４】
前記容器の上端の開口を覆う蓋をさらに備え、
前記規制部材が、前記基板に係合する一端と前記蓋に係合する他端とを結ぶ線状部材を有する
ことを特徴とする請求項１〜３のいずれかに記載の振動篩。
【請求項５】
前記蓋に凹溝が設けられており、
前記他端に、前記凹溝に係合する突起が設けられている
ことを特徴とする請求項４に記載の振動篩。
【請求項６】
前記容器の上端の周縁を上から押さえる環状板をさらに備え、
前記規制部材が、前記基板に係合する一端と前記環状板に係合する他端とを結ぶ線状部材を有する
ことを特徴とする請求項１〜３のいずれかに記載の振動篩。
【発明の詳細な説明】
【技術分野】
【０００１】
本発明は、粉体の分級および選別に用いられる振動篩に関する。
【背景技術】
【０００２】
従来の技術として、篩網の上に粉体を供給し、振動させることにより、篩網を通過する粉体と通過しない粉体とにふるい分けるよう構成された振動篩が広く知られている。このような振動篩は、密閉された容器内に篩網を備えるよう構成されている。そのため、一般的な振動篩では、容器を上下に分割可能となる構造を採用し、容器を構成する要素で篩網を上下に挟み込むように構成される。
【０００３】
特許文献１に開示される振動篩は、篩網を上下二つの部材で挟み込み、そしてこの二つの部材間に設けられた拡張可能なチューブを用いて押圧し、これらの二つの部材と篩網とが密着するよう構成されている。しかし、特許文献１に開示される振動篩は、二つの部材が入れ子になるよう構成されており、また粉体の粒径が二種にふるい分けられるのみであり、それより多くの粒径の種別にふるい分けることができない。
【０００４】
一方、特許文献２に開示されるような、同径の枠体を上下に複数重ね、篩網を上下の枠体で挟み込むよう構成された振動篩も知られている。この振動篩は、粉体を粒径に応じて二種にふるい分けるのみならず、枠体を三つ重ねて篩網を二つ用いることにより、粉体を粒径に応じて三種にふるい分けることも可能となる。
【０００５】
特許文献２に開示される振動篩も特許文献１と同様に、篩網を上下二つの枠体で挟み込み、そしてこの二つの枠体間に設けられた拡張可能なチューブを用いて押圧し、これらの二つの部材と篩網とが密着するよう構成されている。しかし、特許文献２に開示される振動篩は、枠体の結合部毎にチューブが設けられており、そして枠体同士の拡開を阻止するクランプを枠体の結合部毎に複数個装着する必要があった。そのため、部品点数が多くなり、容器の重量化を招いていた。
【先行技術文献】
【特許文献】
【０００６】
【特許文献１】特表２００７−５１１３４４号公報
【特許文献２】実開平３−６６６７９号公報
【発明の概要】
【発明が解決しようとする課題】
【０００７】
そこで、本発明が解決しようとする課題は、部品点数が少なく、組み立てが容易でありながら、内部空間が確実に密閉される振動篩を提供することである。
【課題を解決するための手段】
【０００８】
本発明は、前記課題を解決するためになされたもので、請求項１に記載の発明は、振動により容器の内部の粉体を篩い分ける振動篩であって、振動手段と、前記振動手段に結合された基板と、前記基板の上に配置された筒状の容器と、前記容器の内部空間を上下に区画する篩網と、前記基板と前記容器の上端との上下方向の距離を規制する規制部材とを備え、前記容器は、上下に積み重ねられた、複数の短筒状の枠体と、当該容器を上下方向に伸長させる伸長手段とを有し、前記篩網は、複数の前記枠体のうち下側の枠体に設けられた第一支持面と、上側の枠体に設けられた第二支持面との間に挟まれて支持されていることを特徴とする振動篩である。
【０００９】
請求項１に記載の発明によれば、部材点数が少なく軽量であり、すべての枠体および蓋を一度に締結可能であり、内部空間が確実に密閉される振動篩を提供することができる。
【００１０】
請求項２に記載の発明は、前記伸長手段が、流体圧により膨張および収縮可能な弾性体からなる、前記枠体と同軸に積み重ねられた環状の袋体であることを特徴とする請求項１に記載の振動篩である。
【００１１】
請求項２に記載の発明によれば、容器を伸長させる操作が容易な振動篩を提供することができる。
【００１２】
請求項３に記載の発明は、前記基板の上面に設けられた、上方に開口する環状の袋体収容部に、前記袋体が収容され、前記袋体の上に配置される前記枠体の下部が、前記袋体収容部内で前記袋体に当接していることを特徴とする請求項２に記載の振動篩である。
【００１３】
請求項３に記載の発明によれば、袋体を基板に固定することができ、容器の組み立ての際に袋体を取り外したり移動したりする必要のない振動篩を提供することができる。
【００１４】
請求項４に記載の発明は、前記容器の上端の開口を覆う蓋をさらに備え、前記規制部材が、前記基板に係合する一端と前記蓋に係合する他端とを結ぶ線状部材を有することを特徴とする請求項１〜３のいずれかに記載の振動篩である。
【００１５】
請求項４に記載の発明によれば、構成が簡単であり軽量な振動篩を提供することができる。
【００１６】
請求項５に記載の発明は、前記蓋に凹溝が設けられており、前記他端に、前記凹溝に係合する突起が設けられていることを特徴とする請求項４に記載の振動篩である。
【００１７】
請求項５に記載の発明によれば、蓋の形状を簡単なものとしたまま、基板と蓋とを結合することが可能な振動篩を提供することができる。
【００１８】
請求項６に記載の発明は、前記容器の上端の周縁を上から押さえる環状板をさらに備え、前記規制部材が、前記基板に係合する一端と前記環状板に係合する他端とを結ぶ線状部材を有することを特徴とする請求項１〜３のいずれかに記載の振動篩である。
【００１９】
請求項６に記載の発明によれば、蓋と別部品として構成された環状板を適宜に配置することにより、基板と蓋とを結合することが可能な振動篩を提供することができる。
【発明の効果】
【００２０】
本発明によれば、部材点数が少なく軽量であり、すべての枠体および蓋を一度に締結可能であり、内部空間が確実に密閉される振動篩を提供することができる。
【図面の簡単な説明】
【００２１】
【図１】本発明の第一実施形態に係る振動篩を示す図であり、（ａ）は部分断面正面図であり、（ｂ）は（ａ）における矢視Ａ−Ａを示す矢視図である。
【図２】本発明の第一実施形態に係る振動篩を示す平面図である。
【図３】図１（ａ）における部分Ｂを拡大して示す拡大断面正面図である。
【図４】図１（ａ）における部分Ｃを拡大して示す拡大断面正面図である。
【図５】本発明の第二実施形態に係る振動篩において、図１（ａ）における部分Ｃに相当する部分を拡大して示す拡大断面正面図である。
【図６】本発明の第三実施形態に係る振動篩において、蓋と容器との結合部分を拡大して示す拡大断面正面図である。
【図７】本発明の第四実施形態に係る振動篩において、蓋と容器との結合部分を示す図であり、（ａ）は部分断面正面図であり、（ｂ）は環状板の平面図である。
【発明を実施するための形態】
【００２２】
次に、本発明の実施形態について図面に基づき説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。特に、本発明の実施形態では、密閉性を維持するためおよび構造部材同士の直接の接触を回避するため、各所にパッキンが設けられているが、これらのパッキンは適宜に付加・削除が可能である。
【００２３】
（第一実施形態）
本発明に係る振動篩の第一実施形態について、図１〜４に基づき説明する。図１は、本発明の第一実施形態に係る振動篩を示す図であり、（ａ）は部分断面正面図であり、（ｂ）は（ａ）における矢視Ａ−Ａを示す矢視図である。図２は、本発明の第一実施形態に係る振動篩を示す平面図であり、図３は、図１（ａ）における部分Ｂを拡大して示す拡大断面正面図であり、図４は、図１（ａ）における部分Ｃを拡大して示す拡大断面正面図である。
【００２４】
まず最初に振動篩の機能について説明する。図１に示す振動篩１００は、投入口１００ａから容器３０の内部に投入された粉体を、容器３０の内部に収容された篩網５０によりふるい分け、所定の粒径より大きい粒径の粉体を排出口１００ｂから排出し、所定の粒径以下の粒径の粉体を排出口１００ｃから排出するよう作動するものである。
【００２５】
次に振動篩１００の構成について図１，２に基づき説明する。振動篩１００は、振動手段１０、振動手段１０に結合された基板２０、基板２０の上に配置された筒状の容器３０を有している。基板２０はスプリング９１を介して下台８０に弾性的に支持されている。基板２０の上に配置された容器３０は、振動手段１０の振動が伝達することによって加振されるよう構成されている。なお振動手段１０は、偏心するウェイトを回転させることにより振動を発生させる。
【００２６】
容器３０の中には、その内部空間を上下に区画する篩網５０が設けられており、そして容器３０の上端には、その開口を覆うように蓋６０が配置されている。容器３０の内部は、篩網５０により、下側空間３０ａと上側空間３０ｂとに区画されている。上側空間３０ｂは投入口１００ａおよび排出口１００ｂに連通しており、下側空間３０ａは排出口１００ｃに連通している。
【００２７】
容器３０は、具体的には、上下に積み重ねられた短円筒状の枠体３１，３２を有する。容器３０の内部における枠体３１と枠体３２との結合部には、円板状の受皿５３が略水平に支持されており、受皿５３の上には、複数の球状の網叩５５が移動自由に載置されている。そして受皿５３の上方には篩網５０が離間して配置されており、篩網５０は受皿５３と枠体３２とにより略水平に支持されている。
【００２８】
篩網５０は、網叩５５から離間して上方に配置されているが、容器３０が振動するとこれに伴って網叩５５も上下に振動し、篩網５０に衝突することにより篩網５０の目詰まりが阻止されるよう構成されている。なお、受皿５３には多数の孔（図示省略）が設けられており、篩網５０を通過した粉体は受皿５３も通過し、下側空間３０ａに落下する。
【００２９】
枠体３２には上側空間３０ｂと連通する排出口１００ｂが延設されており、枠体３１には下側空間３０ａと連通する排出口１００ｃが延設されている。すなわち、所定の粒径より小さい粒径の粉体は排出口１００ｃから排出され、所定の粒径より大きい粒径の粉体は排出口１００ｂから排出される。
【００３０】
次に、基板２０と容器３０の上端との上下方向の距離を規制する規制部材７０について、図１〜３に基づき説明する。規制部材７０は、容器３０に隣接しつつ周方向に互いに離隔するように、三か所に配置されている。それぞれの規制部材７０は、基板２０と係合する基板係合部７１を一端に、容器３０の上端に配置された蓋６０と係合する容器上端材係合部７２を他端に有し、基板係合部７１と容器上端材係合部７２とは、線状の張力部材７３が結んでいる。基板係合部７１には一方（図３においては径方向内側）に開口したフック部７１ａが形成されている。一方、基板２０には二つの支持片２３，２３が立てて設けられており、支持片２３，２３の間には水平に延びるピン２４が設けられている。すなわち、基板係合部７１のフック部７１ａは、ピン２４に係合され、これにより、規制部材７０の一端が基板２０に係合することになる。
【００３１】
規制部材７０の容器上端材係合部７２には、その径方向に膨らむハンドル７２ａが設けられており、容器上端材係合部７２と張力部材７３との境界には、肩部７２ｂが形成されている。一方、蓋６０からは、周方向に互いに離隔するように、三か所で舌片６０ａが径方向に伸びており、その舌片６０ａには、規制部材７０の張力部材７３が収容可能となるよう切欠６０ｂが形成されている。すなわち、容器上端材係合部７２の肩部７２ｂが舌片６０ａを下向きに押さえつけることにより、規制部材７０の他端が蓋６０に係合することになる。このように、規制部材７０が周方向に離れて配置されることによって、基板２０と蓋６０との上下方向の距離が規制され、したがって基板２０と容器３０の上端との上下方向の距離が規制される。なおこの状態では、張力部材７３には張力が作用し、曲げ荷重は作用しない。したがって、張力部材７３としては、曲げ剛性が小さい線状部材であるワイヤを用いることができる。もちろん、曲げ剛性を有する棒状の部材を用いることも可能である。なお、規制部材７０の数は特に限定されない。
【００３２】
次に、容器３０を上下方向に伸長させる伸長手段４０について、図３に基づき説明する。基板２０の上面２０ａには、容器３０と同軸に、環状の壁面材２１，２２が垂直に立てて設けられている。壁面材２１と壁面材２２との間には、環状の袋体収容部２０ｂが形成されている。袋体収容部２０ｂの内部には、膨張および収縮可能な弾性体からなる袋体４１が収容されており、袋体４１の上部には、枠体３１の下部に設けられたフランジ３１ｂが当接している。すなわち、袋体４１は、基板２０と枠体３１との間に介在するよう配置されている。
【００３３】
袋体４１の内部には、空気供給部材４２が、基板２０を貫通して連通している。空気供給部材４２には、空気源（図示省略）が接続されており、これにより袋体４１の内部の圧力が制御される。袋体４１の内部が高圧となると、袋体４１は膨張する。このとき、横方向への膨張は壁面材２１，２２により制限されるため、袋体４１は上下方向にのみ膨張する。したがって、袋体４１の内部が高圧となると、枠体３１のフランジ３１ｂに上向きの力が作用する。すなわち、容器３０を上下方向に伸長させるような力が作用する。しかし、容器３０が上下方向に伸長するような力が作用しても、基板２０と蓋６０との上下方向の距離は、規制部材７０により規制される。したがって、このとき容器３０は軸方向に圧縮され、枠体３１，３２の結合部には、内力として圧縮荷重が作用する。一方、規制部材７０の張力部材７３には、内力として引張荷重が作用する。
【００３４】
なお、袋体４１の内部が低圧となると、袋体４１は収縮し、これに応じて容器３０は上下方向に縮むことになる。また、袋体収容部２０ｂは、壁面材２１，２２で形成することに代えて、基板２０に溝を彫るなどして形成することも可能である。
【００３５】
また、基板２０に対して枠体３１のフランジ３１ｂは、袋体４１に作用する空気圧に応じて相対的に上下に運動する。ここでフランジ３１ｂの径方向外側には、Ｏリング３１ｆが設けられており、壁面材２１の内側の壁に常時当接するよう構成されている。したがって、基板２０に対して枠体３１のフランジ３１ｂが相対的に上下に運動しても、金属同士が摺動して摩耗するおそれはない。
【００３６】
次に、枠体３１，３２および篩網５０の結合部について、図４に基づき説明する。下側の枠体３１の上部には、径方向外側に向かって水平に延びるフランジ３１ｃが設けられている。フランジ３１ｃは弾性体からなるパッキン３１ｄで覆われている。枠体３１の上には受皿５３が配置されており、フランジ３１ｃの上に受皿５３の縁部５３ａが載置されている。そして縁部５３ａは弾性体からなるパッキン５４で覆われている。受皿５３の径は枠体３１のフランジ３１ｃの径と略同一である。
【００３７】
枠体３１の上方に位置する枠体３２の下部には、径方向外側に向かって水平に延びるフランジ３２ｄと、フランジ３２ｄの縁から軸方向下向きに延びる壁面材３２ｅとが設けられている。フランジ３２ｄは、受皿５３の縁部５３ａを覆うパッキン５４に当接している。壁面材３２ｅは、枠体３１のフランジ３１ｃおよびパッキン３１ｄと、受皿５３の縁部５３ａおよびパッキン５４とを収容し、これらが当接している箇所を径方向外側から覆う。受皿５３は、枠体３１，３２により上下に挟まれて支持されている。
【００３８】
受皿５３の上方には篩網５０が離間して配置されている。具体的には、篩網５０の縁部の下面側には環状のリング部材５１が結合されており、リング部材５１は、弾性体からなるリング状のパッキン５２により下から支持されている。また、篩網５０の上面側は、弾性体からなるパッキン３２ｃを介して、上方支持部材３２ｂにより支持されている。なお、上方支持部材３２ｂは、枠体３２の円筒壁３２ｆから径方向内側に向かって水平に延びる部材である。すなわち、篩網５０は、受皿５３および上方支持部材３２ｂにより、弾性体であるパッキン３２ｃ，５２を介して挟まれて支持されており、また受皿５３は、枠体３１のフランジ３１ｃおよび枠体３２のフランジ３２ｄにより、弾性体であるパッキン３１ｄ，３２ｄを介して挟まれて支持されている。したがって、篩網５０は、枠体３１に設けられたフランジ３１ｃの上面である第一支持面３１ａと、枠体３２に設けられた上方支持部材３２ｂの下面である第二支持面３２ａとの間に挟まれて支持されている。
【００３９】
ここで、伸長手段４０の袋体４１に高圧が作用すると、前述のとおり、容器３０は軸方向に圧縮され、枠体３１，３２の結合部には、内力として圧縮荷重が作用する。すなわち、枠体３１のフランジ３１ｃを覆うパッキン３１ｄと、受皿５３の縁部５３ａを覆うパッキン５４とが密着するとともに、パッキン５４と枠体３２のフランジ３２ｄとが密着する。それと同時に、篩網５０に結合されたリング部材５１は受皿５３の上のパッキン５２に密着するとともに、篩網５０の上面側がパッキン３２ｃに密着する。したがって、枠体３１，３２が確実に締結されるとともに、下側空間３０ａおよび上側空間３０ｂが、確実に密閉される。
【００４０】
また、伸長手段４０の袋体４１に高圧が作用した場合の蓋６０と枠体３２との結合部についても、図１に示すように、枠体３２のフランジ３２ｈ（およびそれを覆うパッキン３２ｇ）と、蓋６０の縁部６０ｃとが密着する。したがって、枠体３２と蓋６０とが確実に締結されるとともに、上側空間３０ｂが、確実に密閉される。
【００４１】
また、本実施形態の伸長手段４０については、袋体４１が基板２０に固定されているため、容器３０を組み立てる際に、袋体４１を取り外したり移動したりする必要がない。
【００４２】
また、袋体４１の内部に供給される流体は空気に限られることはない。各種ガスおよび液体など、任意の流体を用いて袋体４１の内圧を変化させるよう構成することももちろん可能である。
【００４３】
なお、図１に示す形態では枠体３１，３２を二つ重ねて篩網５０を一つ用いて、粉体を粒径に応じて二種にふるい分けるよう構成されているが、枠体を三つ重ねて篩網を二つ用いることにより、粉体を粒径に応じて三種にふるい分けることも、もちろん可能である。その場合も、本実施形態と同様の伸長手段４０および規制部材７０を用いることで、容易な操作ですべての枠体および蓋を一度に締結可能であり、内部空間が確実に密閉される。
【００４４】
（第二実施形態）
次に、本発明に係る振動篩の第二実施形態について、図５に基づき説明する。図５は、本発明の第二実施形態に係る振動篩において、図１（ａ）における部分Ｃに相当する部分を拡大して示す拡大断面正面図である。以下に、第一実施形態との構成の相違点を中心に説明し、対応する箇所には同一の符号を付して説明する。
【００４５】
第二実施形態に係る振動篩１００は、第一実施形態と同様に伸長手段４０を備えているが、その位置が相違している。すなわち、図５に示すように、第二実施形態に係る振動篩１００は、伸長手段４０を、枠体３１，３２の結合部に備えている。具体的には、枠体３１のフランジ３１ｃの上に膨張および収縮可能な弾性体からなる袋体４３が設置されているとともに、袋体４３の内部に空気を供給する空気供給部材４４が、枠体３１のフランジ３１ｃに貫通して設けられている。そして袋体４３の上部には、受皿５３の縁部５３ａがパッキン５４を介して当接しており、さらに受皿５３の縁部５３ａは、第一実施形態と同様に、パッキン５４を介して枠体３２のフランジ３２ｄにより押さえつけられている。すなわち、袋体４３は、枠体３２と枠体３１との間に介在するよう配置されている。なお、袋体４３の径方向内側には、枠体３１の壁面材３１ｅが当接するよう設けられており、袋体４３の径方向外側には、枠体３２の壁面材３２ｅが当接するよう設けられている。
【００４６】
したがって、袋体４３の内部が高圧となると、袋体４３は膨張する。このとき、横方向への膨張は壁面材３１ｅ，３２ｅにより制限されるため、袋体４３は上下方向にのみ膨張する。したがって、袋体４３の内部が高圧となると、受皿５３の縁部５３ａに上向きの力を作用させ、これを介して枠体３２のフランジ３２ｄに上向きの力が作用する。すなわち、容器３０を上下方向に伸長させるような力が作用する。しかし、容器３０が上下方向に伸長するような力が作用しても、基板２０と蓋６０との上下方向の距離は、規制部材７０により規制される。したがって、このとき容器３０は軸方向に圧縮され、枠体３１，３２の結合部には、内力として圧縮荷重が作用する。そしてこの圧縮荷重により、第一実施形態と同様に、枠体３１，３２および蓋６０が確実に締結され、下側空間３０ａおよび上側空間３０ｂが、確実に密閉される。
【００４７】
（第三実施形態）
次に、本発明に係る振動篩の第三実施形態について、図６に基づき説明する。図６は、本発明の第三実施形態に係る振動篩において、蓋と容器との結合部分を拡大して示す拡大断面正面図である。以下に、第一実施形態との構成の相違点を中心に説明し、対応する箇所には同一の符号を付して説明する。
【００４８】
第三実施形態に係る振動篩１００は、第一実施形態と同様に規制部材７０を備えているが、その構成および機構が相違している。すなわち、図６に示すように、第三実施形態に係る振動篩１００の規制部材７０は、その他端に容器上端材係合部７５を備えており、容器上端材係合部７５には下向きの突起７５ａが設けられている。そして容器上端材係合部７５は棒状部材７４に剛結合されており、その棒状部材７４は、第一実施形態と同様に構成された基板係合部７１と結合されている。
【００４９】
一方、蓋６１には、容器上端材係合部７５の突起７５ａに係合する凹溝６１ａが、縁部６１ｂに隣接して設けられている。すなわち、容器上端材係合部７５の突起７５ａが蓋６１の凹溝６１ａに係合することにより、規制部材７０の他端が蓋６０に係合することになる。第一実施形態と同様に、規制部材７０が配置されることによって、基板２０と蓋６０との上下方向の距離が規制される。したがって、伸長手段４０を作動させた場合、第一実施形態と同様に、容器３０は軸方向に圧縮され、枠体３１，３２の結合部には、内力として圧縮荷重が作用する。そしてこの圧縮荷重により、第一実施形態と同様に、枠体３１，３２および蓋６０が確実に締結され、下側空間３０ａおよび上側空間３０ｂが、確実に密閉される。
【００５０】
なお、規制部材７０の数は特に限定されないことは、第一実施形態と同様である。また、容器上端材係合部７５と棒状部材７４とは剛結合されているため、棒状部材７４は曲げ荷重を受け持ち、容器上端材係合部７５は、枠体３１，３２に対して、軸方向に圧縮荷重を付与することが可能となる。
【００５１】
さらに、本実施形態の変形例として、蓋６１を使用することなく、基板２０と容器３０の上端との上下方向の距離を規制するような例が挙げられる。すなわち、図６において、蓋６１を削除しても、容器上端材係合部７５が、パッキン３２ｇを介してフランジ３２ｈを下向きに押さえつけることになる。なお、蓋６１を使用しない場合は、上方に開口した容器３０が振動することになり、篩い分けるべき紛体はその開口から容器３０の内部に投入することになる。
【００５２】
（第四実施形態）
次に、本発明に係る振動篩の第四実施形態について、図７に基づき説明する。図７は、本発明の第四実施形態に係る振動篩において、蓋と容器との結合部分を示す図であり、（ａ）は部分断面正面図であり、（ｂ）は環状板の平面図である。以下に、第一実施形態との構成の相違点を中心に説明し、対応する箇所には同一の符号を付して説明する。
【００５３】
第四実施形態に係る振動篩１００は、第一実施形態と同様の構成の規制部材７０を備えているが、規制部材７０の容器上端材係合部７２が係合する相手の構成が相違している。すなわち、図７に示すように、第四実施形態に係る振動篩１００の蓋６２は、第一実施形態とは異なり、舌片６０ａを備えておらず、その代わりに環状板７６を用いることによって、基板２０と蓋６０との上下方向の距離が規制される。
【００５４】
具体的には、図７に示す環状板７６を、蓋６２の上に載置し、リング部７６ｃが蓋６２の周縁の上に乗るよう配置する。図７（ａ）に示すように、環状板７６には、そのリング部７６ｃの下面から下方向に突出する環状の壁面材７７が設けられており、蓋６２の上に載置する際のガイドとして機能する。すなわち、壁面材７７は、蓋６２の縁部６２ａ（およびそれを覆うパッキン６２ｂ）と枠体３２のフランジ３２ｈ（およびそれを覆うパッキン３２ｇ）とが当接している箇所を、径方向外側から覆う。また、図７（ｂ）に示すように、環状板７６はリング状であり、周方向に互いに離隔するように、三か所で舌片７６ａが径方向に伸びており、その舌片７６ａには、規制部材７０の張力部材７３が収容可能となるよう切欠７６ｂが形成されている。
【００５５】
そして、規制部材７０の容器上端材係合部７２の肩部７２ｂが、舌片７６ａを下向きに押さえつけることにより、規制部材７０の他端が、環状板７６を介して、蓋６２に係合することになる。図７に示すように、規制部材７０が周方向に離れて配置されることによって、基板２０と蓋６０との上下方向の距離が規制される。なお、規制部材７０の数は特に限定されない。
【００５６】
本実施形態では、蓋６２と別部品として構成された環状板７６を、蓋６２に対して独立に配置することが可能であるため、蓋６２全体の位置調整などを行うことなく、基板２０と蓋６２とを結合することが可能となる。
【００５７】
さらに、本実施形態の変形例として、蓋６２を使用することなく、基板２０と容器３０の上端との上下方向の距離を規制するような例が挙げられる。すなわち、図７（ａ）において、蓋６２を削除しても、環状板７６のリング部７６ｃが、パッキン３２ｇを介してフランジ３２ｈを下向きに押さえつけることになる。この場合において、環状板７６の下面から下方向に突出する環状の壁面材７７は、枠３２の上に載置する際のガイドとして機能する。なお、蓋６２を使用しない場合は、上方に開口した容器３０が振動することになり、篩い分けるべき紛体はその開口から容器３０の内部に投入することになる。
【符号の説明】
【００５８】
１００          振動篩
１０            振動手段
２０            基板
３０            容器
３１，３２      枠体
３１ａ          第一支持面
３２ａ          第二支持面
４０            伸長手段
４１，４３      袋体
５０            篩網
６０，６１      蓋
６１ａ          凹溝
７０            規制部材
７１            基板係合部（一端）
７２，７５      容器上端材係合部（他端）
７３            張力部材（線状部材）
７５ａ          突起
【図１】
2014104424.tif 000003
【図２】
2014104424.tif 000004
【図３】
2014104424.tif 000005
【図４】
2014104424.tif 000006
【図５】
2014104424.tif 000007
【図６】
2014104424.tif 000008
【図７】
2014104424.tif 000009